(57)【特許請求の範囲】
【請求項１】
劣化などの補修を必要とするコンクリート面を補修に適した状態に前処理したのち、この処理面に短繊維の混入セメントペーストを塗布或いは吹付け、次いでその上に短繊維の混入モルタルを塗布或いは吹き付けたのち、この短繊維の混入モルタルの上に短繊維の混入セメントペーストを塗布或いは吹き付け、その上に透水性コンクリートを吹き付け、次いでこの透水性コンクリートに生育基盤材を注入したのち、上記透水性コンクリートの上にコケやマンネングサなどの乾燥に強い植物の混入植生基材を塗布或いは吹き付けたことを特徴とするコンクリート面の景観工法。
【請求項２】
緑化を必要とするコンクリート面に短繊維の混入セメントペーストを塗布或いは吹き付けたのち、その上に透水性コンクリートを吹き付け、次いでこの透水性コンクリートに生育基盤材を注入したのち、上記透水性コンクリートの上にコケやマンネングサなどの乾燥に強い植物の混入植生基材を塗布或いは吹き付けたことを特徴とするコンクリート面の景観工法。
【請求項３】
前記植物繊維緑化材の混入植生基材の塗布或いは吹付け前の透水性コンクリートの表面に金網を張り付けたことを特徴とする請求項２に記載のコンクリート面の景観工法。
【発明の詳細な説明】
【０００１】
【発明の属する技術分野】
この発明は、ひび割れや、剥離、劣化箇所などの起生したコンクリート面の補修をかねる景観やコンクリート面の景観工法に関する。
【０００２】
【従来の技術及びその課題】
ひび割れや剥離、劣化箇所などの起生したコンクリート面をそのまま放置しておくと、景観の点（見苦しいなどによる）で問題があり、そのまま放置が続行されると、上述のひび割れや、剥離、劣化などがさらに増大して景観がさらに悪くなる。
【０００３】
そこで、コンクリート面にモルタルを吹き付けて補修しているが、再び吹き付け面が短期間にひび割れや、剥離する問題があった。
【０００４】
また、吹き付けモルタルに着色することもあるが、短期間に退色してなお一層景観を悪くする問題があった。
【０００５】
さらに、コンクリート面の剥出しによる景観を損うと共に、景観のため塗料を塗布或いは吹き付けても上述の退色などの問題が発生する。
【０００６】
そこで、この発明は、コンクリート面の補修をかねる景観や、コンクリート面の景観にコケやマンネングサなどの乾燥に強い植物を用いて良好な景観、すなわち、コンクリート面を緑になるようにすると共に、上記緑化材が安定よく定着するようにしたことにある。
【０００７】
【課題を解決するための手段】
上記の課題を解決するために、この発明は、劣化などの補修を必要とするコンクリート面を補修に適した状態に前処理したのち、この処理面に短繊維の混入セメントペーストを塗布或いは吹付け、次いでその上に短繊維の混入モルタルを塗布或いは吹き付けたのち、この短繊維の混入モルタルの上に短繊維の混入セメントペーストを吹き付け、その上に透水性コンクリートを塗布或いは吹き付け、次いでこの透水性コンクリートに生育基盤材を注入したのち、上記透水性コンクリートの上にコケやマンネングサなどの乾燥に強い植物の混入植生基材を塗布或いは吹き付けた工法を採用する。
【０００８】
また、緑化を必要とするコンクリート面に短繊維の混入セメントペーストを塗布或いは吹き付けたのち、その上に透水性コンクリートを吹き付け、次いでこの透水性コンクリートに生育基盤材を注入したのち、上記透水性コンクリートの上にコケやマンネングサなどの乾燥に強い植物の混入植生基材を塗布或いは吹き付けた工法を採用する。
【０００９】
【発明の実施の形態】
この発明の実施の形態を添付図面に基づいて説明する。
【００１０】
この発明の第１の実施形態では、図１から図３に示すように、高速道路やダムの湛水斜面などの法面やその他の擁壁などのコンクリートＡのひび割れや、剥離、劣化にともなう景観補修を必要とするコンクリート面を、補修に適した状態に前処理する。
【００１１】
上記の前処理としては、ひび割れや剥離、劣化箇所を調査し、劣化、ひび割れ及び剥離箇所のＶカットや研りなどの下地処理し、エアージェット水による水洗処理も行なう。
【００１２】
また、処理面に欠落やＶカットにともないくぼみ１が存在する場合、そのくぼみ１に短繊維３の混入モルタル２を充填して補修しておく。
【００１３】
しかして、処理ずみ面に、まず短繊維３の混入セメントペースト４を塗布或いは吹付け、その上に短繊維３の混入モルタル５を塗布或いは吹き付けたのち、上記短繊維３の混入モルタル５の上に短繊維３の混入セメントペースト４を塗布或いは吹き付ける。
【００１４】
上記補強を目的とする短繊維３としては、例えばビニロン短繊維などがあり、セメントペースト４としては、セメントと水とからなり、より強度（安定した定着性）を必要とする場合は、これにカチオン系や酢酸ビニール系などの高分子系接着剤などを混入することもあり、硬化時のブリージングを低減し、ひび割れ発生防止を目的として硝酸カルシウムの化合物などの混和剤（セメント水和反応を変える変性剤）を混入することもある。
【００１５】
短繊維３の混入モルタル２、５としては、セメント、砂、水とからなり、セメントペースト４と同様に上述の高分子系接着剤や、セメント水和反応を変える変性剤を混入することもある。
【００１６】
次に、表層側のセメントペースト４の上に透水性コンクリート６を吹き付ける。
【００１７】
上述の透水性コンクリート６としては、図３に示すように適当な粒径、例えば１〜５ｍｍのフルイ砂、フルイ砕石、フルイ砂利または人工軽量粗骨材などの骨材７と、例えばセメントと水とからなるセメントペーストの自硬性接着剤８を混合、混練し、より強度を必要とする場合、これにカチオン系や酢酸ビニール系などの高分子系接着剤やビニロン短繊維などの補強材を混入することもあり、硬化時のブリージングを低減し、ひび割れの発生防止を目的として硝酸カルシウムの化合物などの混和剤（セメント水和反応を変える変性剤）を混入することもある。
【００１８】
すると、透水性コンクリート６の吹き付けにともなう骨材７を接着剤８によって結合すると共に、骨材７の表面接着剤８の非接触部分ができて、この非接触部分が透水経路になる。
【００１９】
その後に、透水性コンクリート６の透水経路に生育基盤材９を注入する。
【００２０】
生育基盤材９としては、例えばチップ状の炭化物と、肥料とをペースト状にセメントや樹脂系の接着剤によって混練され、ポンプによる圧送によりノズルなどで注入する。
【００２１】
次に、人工栽培されたコケやマンネングサを粉砕した短かい乾燥に強い植物１０を混入した植生基材１１を透水性コンクリート６の表面に塗布或いは吹き付ける。
【００２２】
上記のコケやマンネングサは、ガーデニングに栽培されたものを用い、植生基材１１としては、例えばチップの炭化物と、肥料及び客土などを塗り付けや吹き付けに適したペースト状となるようにセメントや樹脂系の接着剤によって混練したものが用いられる。
【００２３】
すると、補修を必要とするコンクリートＡの面に対し短繊維３の混入セメントペースト４を介し短繊維３の混入モルタル５が、このモルタル５に対し短繊維３の混入セメントペースト４を介し透水性コンクリート６が安定よく、かつ強固に積層され、また透水性コンクリート６上の植生基材１１に混入してある乾燥に強い植物１０のコケやマンネングサの生育にともないすぐれた緑化による景観と共に、コンクリートＡの補修にもなる。
【００２４】
勿論、透水性コンクリート６の透水経路によってしみ込んだ雨水などの保水効果があるので、コケやマンネングサなどの乾燥に強い植物１０や植生基材１１に対する保水が行なわれ、かつ透水性コンクリート６に注入した生育基盤材９や植生基材１１にもよって順調な生育が保障できる。
【００２５】
また、植生基材１１の表面を植生ネット１５で被う。
【００２６】
すると、植物緑化材１０のコケやマンネングサが植生ネット１５にからみ、多量な雨水の流下などによる流失もなく、安定する。
【００２７】
なお、植生ネット１５は、アンカーピンなどによって定着する。
【００２８】
この発明の第２の実施形態では、図４及び図５に示すように、補修を必要としないで景観を必要とするコンクリートＡ′の面に、短繊維３の混入セメントペースト４を塗布或いは吹付け、次いで透水性コンクリート６を吹き付ける。
【００２９】
この透水性コンクリート６には、生育基盤材９が注入される。
【００３０】
しかして、透水性コンクリート６の表面にコケやマンネングサなどの短かい乾燥に強い植物１０を混入した植生基材１１を塗布或いは吹き付ける。
【００３１】
上記短繊維３の混入セメントペースト４、透水性コンクリート６、生育基盤材９及び乾燥に強い植物１０の混入植生基材１１は、第１の実施形態と同様につき説明を省略する。
【００３２】
すると、第１の実施形態と同様にコンクリートＡ′面を緑化し、すぐれた景観にすることができる。
【００３３】
また、透水性コンクリート６の表面にアンカーピンなどで定着したクリンプなどの金網２１を張り付けておくと、植生基材１１は勿論、生育植物緑化材１０の安定した定着をはかることができると共に、金網２１の使用によって急傾斜地の緑化を安定よく行なうことができる。
【００３４】
【発明の効果】
以上のように、この発明に係るコンクリート面の景観工法によれば、ひび割れや剥離及び劣化コンクリート面やコンクリート面を極めて良好に補修し、かつ景観のすぐれた向上をはかることができる。
すなわち、コンクリート面の改善と同時に景観のため緑にし、またコンクリート面を景観のため緑にする。
【図面の簡単な説明】
【図１】この発明の第１の実施形態の縦断側面図
【図２】同上の一部切欠正面図
【図３】透水性コンクリートの縦断拡大側面図
【図４】第２の実施形態の縦断側面図
【図５】同上の一部切欠正面図
【符号の説明】
Ａ、Ａ′  コンクリート
１        くぼみ
２        モルタル
３        短繊維
４        セメントペースト
５        モルタル
６        透水性コンクリート
７        骨材
８        接着剤
９        生育基盤材
１０      乾燥に強い植物
１１      植生基材
１５      植生ネット
２１      金網
【図１】
0004067758.tif 000002
【図２】
0004067758.tif 000003
【図３】
0004067758.tif 000004
【図４】
0004067758.tif 000005
【図５】
0004067758.tif 000006